(57)【要約】  共通参照信号の干渉除去方法、基地局及びシステムである。該方法は、ピコセルが干渉除去補助情報を隣接セルに通知することを含み、前記干渉除去補助情報は、前記ピコセルに干渉する隣接セルの第一関連情報、又は、前記ピコセルに干渉する隣接セルのうちの前記ピコセルの共通参照信号と衝突する隣接セルの第二関連情報を含む。本発明の実施例により、隣接セルの基地局は、該干渉除去補助情報を受信し、そして、それを自セルのユーザ装置に構成することで、自セルの干渉除去能力を有するユーザ装置に、該干渉除去補助情報に基づいて干渉除去を行わせることができる。よって、切り替えが遅すぎるという問題を避けることができる。
2015523021.tif 000002
【特許請求の範囲】
【請求項１】
共通参照信号の干渉を除去する方法であって、
ピコセルが干渉除去補助情報を隣接セルに通知することを含み、
前記干渉除去補助情報は、前記ピコセルに干渉する隣接セルの第一関連情報、又は、前記ピコセルに干渉する隣接セルのうちの前記ピコセルの共通参照信号と衝突する隣接セルの第二関連情報を含む、方法。
【請求項２】
請求項1に記載の方法であって、
前記第一関連情報及び第二関連情報は、セルＩＤ、アンテナポート数、及びマルチキャスト／ブロードキャスト単一周波数ネットワークフレーム構成情報を含む、方法。
【請求項３】
請求項1又は2に記載の方法であって、
前記ピコセルが干渉除去補助情報を隣接セルに通知する前に、前記方法は、前記干渉除去補助情報を得るステップを更に含む、方法。
【請求項４】
請求項3に記載の方法であって、
前記干渉除去補助情報を得るステップは、前記ピコセルが自セルユーザ装置から報告の測定結果に基づいて、ピコセルに干渉する隣接セルを確定することを含み、
前記ピコセルが干渉除去補助情報を隣接セルに通知するステップは、確定された前記隣接セルの第一関連情報を隣接セルに通知することを含む、方法。
【請求項５】
請求項3に記載の方法であって、
前記干渉除去補助情報を得るステップは、
前記ピコセルが自セルユーザ装置から報告の測定結果に基づいて、ピコセルに干渉する隣接セルを確定し；及び
確定された、ピコセルに干渉する隣接セル中から、前記ピコセルの共通参照信号と衝突する隣接セルを選択することを含み、
前記ピコセルが干渉除去補助情報を隣接セルに通知するステップは、前記ピコセルの共通参照信号と衝突する隣接セルの第二関連情報を隣接セルに通知することを含む、方法。
【請求項６】
共通参照信号の干渉を除去する方法であって、
ピコセルに隣接する隣接セルが前記ピコセルから通知の干渉除去補助情報を受信するステップであって、前記干渉除去補助情報は、前記ピコセルに干渉する隣接セルの第一関連情報、又は、前記ピコセルに干渉する隣接セルのうちの前記ピコセルの共通参照信号と衝突する隣接セルの第二関連情報を含む、ステップ；及び
前記干渉除去補助情報を自セルの干渉除去能力を有するユーザ装置に通知するステップを更に含む、方法。
【請求項７】
請求項6に記載の方法であって、
前記干渉除去補助情報が第一関連情報を含む時に、ピコセルから通知の干渉除去補助情報を受信した後に、前記方法は、前記第一関連情報に基づいて、前記ピコセルの共通参照信号と衝突する隣接セルをセ選択することを更に含み、
前記干渉除去補助情報を自セルのユーザ装置に通知するステップは、選択された、前記ピコセルの共通参照信号と衝突する隣接セルの第三関連情報を自セルの干渉除去能力を有するユーザ装置に通知することを含む、方法。
【請求項８】
請求項6に記載の方法であって、
前記干渉除去補助情報は、CellsToAddMod  IEに含まる、方法。
【請求項９】
共通参照信号の干渉を除去する方法であって、
ピコセルに隣接する隣接セルのユーザ装置が、前記隣接セルから通知の干渉除去補助情報を受信するステップであって、前記干渉除去補助情報は、前記ピコセルに干渉する隣接セルの第一関連情報、又は、前記ピコセルに干渉する隣接セルのうちの前記ピコセルの共通参照信号と衝突する隣接セルの第二関連情報又は第三関連情報を含む、ステップ；及び
前記ユーザ装置が、前記ピコセルの無線リソース管理の測定を行う時に、前記干渉除去補助情報に基づいて共通参照信号の干渉除去を行うステップを含む、方法。
【請求項１０】
請求項9に記載の方法であって、
前記干渉除去補助情報が第一関連情報を含む時に、前記干渉除去補助情報に基づいて共通参照信号の干渉除去を行うステップは、
前記第一関連情報に基づいて前記ピコセルの共通参照信号と衝突するセルを選択し；及び
選択された前記セルからの前記ピコセルへの干渉を除去することを含み、
前記干渉除去補助情報が第二関連情報又は第三関連情報を含む時に、前記干渉除去補助情報に基づいて共通参照信号の干渉除去を行うステップは、前記第二関連情報及び第三関連情報中の全てのセルからの前記ピコセルへの干渉を除去することを含む、方法。
【請求項１１】
ピコ基地局であって、
第一通知ユニットを含み、前記第一通知ユニットは、干渉除去補助情報を隣接セルに通知するために用いられ、
前記干渉除去補助情報は、ピコセルに干渉する隣接セルの第一関連情報、又は、ピコセルに干渉する隣接セルのうちのピコセルの共通参照信号と衝突する隣接セルの第二関連情報を含む、ピコ基地局。
【請求項１２】
請求項11に記載のピコ基地局であって、
情報取得ユニットを更に含み、前記情報取得ユニットは、前記干渉除去補助情報を得るために用いられる、ピコ基地局。
【請求項１３】
請求項11又は12に記載のピコ基地局であって、
前記情報取得ユニットは、前記ピコ基地局のユーザ装置から報告の測定結果に基づいてピコセルに干渉する隣接セルを確定するために用いられ、
前記第一通知ユニットは更に、確定された前記隣接セルの第一関連情報を隣接セルに通知するために用いられる、ピコ基地局。
【請求項１４】
請求項11又は12に記載のピコ基地局であって、
前記情報取得ユニットは、
前記ピコ基地局のユーザ装置から報告の測定結果に基づいてピコセルに干渉する隣接セルを確定するために用いられる第一確定ユニット；及び
第一確定ユニットが確定した、ピコセルに干渉する隣接セル中から、ピコセルの共通参照信号と衝突する隣接セルを選択するために用いられる第一選択ユニットを含み、
前記第一通知ユニットは更に、ピコセルの共通参照信号と衝突する隣接セルの第二関連情報を隣接セルに通知するために用いられる、ピコ基地局。
【請求項１５】
基地局であって、
前記基地局は、ピコセルに隣接する隣接セルの基地局であり、前記基地局は、
前記ピコセルから通知の干渉除去補助情報を受信するために用いられ第一受信ユニットであって、前記干渉除去補助情報は、前記ピコセルに干渉する隣接セルの第一関連情報、又は、前記ピコセルに干渉する隣接セルのうちの前記ピコセルの共通参照信号と衝突する隣接セルの第二関連情報を含む、第一受信ユニット；及び
前記干渉除去補助情報を、前記基地局の干渉除去能力を有するユーザ装置に通知するために用いられる第二通知ユニットを含む、基地局。
【請求項１６】
請求項15に記載の基地局であって、
第二選択ユニットを更に含み、前記第二選択ユニットは、前記干渉除去補助情報が第一関連情報を含む時に、前記ピコセルから通知の干渉除去補助情報を受信した後に、前記第一関連情報に基づいて前記ピコセルの共通参照信号と衝突する隣接セルを選択するために用いられ、
前記第二通知ユニットは更に、選択された、前記ピコセルの共通参照信号と衝突する隣接セルの第三関連情報を自セルの干渉除去能力を有するユーザ装置に通知するために用いられる、基地局。
【請求項１７】
請求項15に記載の方法であって、
前記干渉除去補助情報は、CellsToAddMod  IEに含まれる、基地局。
【請求項１８】
ユーザ装置であって、
前記ユーザ装置は、干渉除去能力を有し、前記ユーザ装置は、ピコセルに隣接する隣接セルに属し、前記ユーザ装置は、
前記隣接セルから通知の干渉除去補助情報を受信するために用いられる第二受信ユニットであって、前記干渉除去補助情報は、前記ピコセルに干渉する隣接セルの第一関連情報、又は、前記ピコセルに干渉する隣接セルのうちの前記ピコセルの共通参照信号と衝突する隣接セルの第二関連情報又は第三関連情報を含む、第二受信ユニット；及び
前記ピコセルの無線リソース管理の測定を行う時に、前記干渉除去補助情報に基づいて、共通参照信号の干渉除去を行うために用いられる第一処理ユニットを含む、ユーザ装置。
【請求項１９】
請求項18に記載のユーザ装置であって、
前記干渉除去補助情報が第一関連情報を含む時に、前記第一処理ユニットは、
前記第一関連情報に基づいて、前記ピコセルの共通参照信号と衝突するセルを選択するための第三選択ユニット；及び
前記第三選択ユニットが選択した前記セルからの前記ピコセルへの干渉を除去するための第一除去ユニットを含む、ユーザ装置。
【請求項２０】
請求項18に記載のユーザ装置であって、
前記干渉除去補助情報が第二関連情報又は第三関連情報を含む時に、前記第一処理ユニットは更に、前記第二関連情報及び第三関連情報中の全てのセルからの前記ピコセルへの干渉を除去するために用いられる、ユーザ装置。
【請求項２１】
異質ネットワークシステムであって、
干渉除去補助情報を隣接セルに通知するためのピコ基地局であって、前記干渉除去補助情報は、ピコセルに干渉する隣接セルの第一関連情報、又は、ピコセルに干渉する隣接セルのうちのピコセルの共通参照信号と衝突する隣接セルの第二関連情報を含む、ピコ基地局；
前記ピコ基地局に隣接するマクロ基地局及び／又は他のピコ基地局であって、前記ピコ基地局から通知の干渉除去補助情報を受信し、そして、前記干渉除去補助情報を自セルの干渉除去能力を有するユーザ装置に通知するためのものと；及び
前記ピコ基地局に隣接するマクロ基地局及び／又は他のピコ基地局から通知の干渉除去補助情報を受信し、そして、前記ピコセルの無線リソース管理の測定を行う時に、前記干渉除去補助情報に基づいて、共通参照信号の干渉除去を行うためのユーザ装置を含む、システム。
【請求項２２】
請求項21に記載のシステムであって、
前記ピコ基地局は、請求項11〜14の任意の１項に記載のピコ基地局であり、
前記ピコ基地局に隣接するマクロ基地局及び／又は他のピコ基地局は、請求項15〜17の任意の１項に記載の基地局であり、
前記ユーザ装置は、請求項18〜20の任意の１項に記載のユーザ装置である、システム。
【請求項２３】
コンピュータ可読プログラムであって、
ピコ基地局中で前記プログラムを実行する時に、前記プログラムは、コンピュータに、前記ピコ基地局中で請求項1〜5の任意の１項に記載の共通参照信号の干渉除去方法を実行させる、プログラム。
【請求項２４】
コンピュータ可読プログラムを記憶した記憶媒体であって、
前記コンピュータ可読プログラムは、コンピュータに、ピコ基地局中で請求項1〜5の任意の１項に記載の共通参照信号の干渉除去方法を実行させる、記憶媒体。
【請求項２５】
コンピュータ可読プログラムであって、
基地局中で前記プログラムを実行する時に、前記プログラムは、コンピュータに、前記基地局中で請求項6〜8の任意の１項に記載の共通参照信号の干渉除去方法を実行させる、プログラム。
【請求項２６】
コンピュータ可読プログラムを記憶した記憶媒体であって、
前記コンピュータ可読プログラムは、コンピュータに、基地局中で請求項6〜8の任意の１項に記載の共通参照信号の干渉除去方法を実行させる、記憶媒体。
【請求項２７】
コンピュータ可読プログラムであって、
ユーザ装置中で前記プログラムを実行する時に、前記プログラムは、コンピュータに、前記ユーザ装置中で請求項9又は10に記載の共通参照信号の干渉除去方法を実行させる、プログラム。
【請求項２８】
コンピュータ可読プログラムを記憶した記憶媒体であって、
前記コンピュータ可読プログラムは、コンピュータに、ユーザ装置中求項9又は10に記載の共通参照信号の干渉除去方法を実行させる、記憶媒体。
【発明の詳細な説明】
【技術分野】
【０００１】
本発明は、通信分野に関し、特に、共通参照信号の干渉除去方法、装置及びシステムに関する。
【背景技術】
【０００２】
異質ネットワークでは、小さいパワー基地局、例えば、ピコ（Pico)基地局、フェムト（Femto)基地局、リモートラジオヘッド（RRH、RemoteRadioHead)、リレー（Relay)ノードなどを構成することにより、システム容量の向上又はカバレッジの拡張を実現することができる。
【０００３】
図1は、異質ネットワークのアーキテクチャを示す図である。図1に示すように、ピコセル（Pico  Cell)がカバレッジ拡張（範囲拡張）（RE、Range  Expansion)技術を用いる場合、マクロ基地局（Macro  eNB)の下り伝送は、ピコ基地局(Pico  eNB)の下り伝送に強い干渉を与えることがある。マクロ基地局側では、下りオールモストブランクサブフレーム（ABS、Almost  Blank  Subframe)を構成することにより、ピコセルのユーザ装置（Pico  UE)がオールモストブランクサブフレーム上で下り受信を行うようにスケジューリングし、このようにして、マクロ基地局からのPico  UEへの下り強干渉を避けることができる。ABSとは、パワーを下げて信号を送信するサブフレームを指す。
【０００４】
オールモストブランクサブフレームのスキームでは、マクロ基地局の共通参照信号（CRS、Common  Reference  Signal)は、ノーマルパワーで送信され、ピコセルに強い干渉を与えることがある。このシナリオでは、ピコ基地局は、干渉源の関連情報を無線リソース制御（RRC、Radio  Resource  Control)シグナリングによって、干渉除去を行えるユーザ装置（UE)に通知し、これにより、該UEは、これらの情報を用いてデータ復調及び測定時に干渉除去を行うことができる。
【０００５】
本発明の実現過程では、発明者は、隣接セルとピコセルのCRS衝突のシナリオにおいて、ピコセル境界に位置してマクロ基地局からの強い干渉を受けるUE(即ち、Pico  victim  UE)は、サービングセルの無線リソース管理(RRM、Radio  Resource  Management)の測定を行う時に、ピコセルにより通知された干渉源情報に基づいで干渉除去を行えるが、隣接セルのUEは、今のところ、CRS干渉を除去する有効な方法がまだないとのことを発見した。
【０００６】
なお、上述の背景技術についての紹介は、本発明の技術案を明確且つ完全に説明し、当業者がそれを容易に理解し得るためだけのものである。これらの技術案は、本発明の背景技術の部分に説明されているから当業者にとって周知であると思われていけない。
【発明の概要】
【発明が解決しようとする課題】
【０００７】
本発明の実施例の目的は、共通参照信号の干渉除去方法、装置及びシステムを提供することにあり、そのうち、ピコセルが干渉除去補助情報を隣接セルに通知し、隣接セルが該補助情報を自セルのユーザ装置に構成することにより、自セルのユーザ装置が該補助情報に基づいてCRS干渉除去を行うことができるので、切り替え（Handover）が遅すぎるという問題を避けることができる。
【課題を解決するための手段】
【０００８】
本発明の実施例の１つの側面により、共通参照信号の干渉を除去する方法が提供され、前記方法、
ピコセルが干渉除去補助情報を隣接セルに通知することを含み、
そのうち、前記干渉除去補助情報は、前記ピコセルに干渉を与える隣接セルの第一関連情報、又は、前記ピコセルに干渉を与える隣接セルのうち、前記ピコセルの共通参照信号と衝突する隣接セルの第二関連情報を含む。
【０００９】
本発明の実施例のもう１つの側面により、共通参照信号の干渉を除去する方法が提供され、前記方法は、
ピコセルに隣接する隣接セルがピコセルから通知の干渉除去補助情報を受信することであって、前記干渉除去補助情報は、前記ピコセルに干渉を与える隣接セルの第一関連情報、又は、前記ピコセルに干渉を与える隣接セルのうち、前記ピコセルの共通参照信号と衝突する隣接セルの第二関連情報を含む、こと；及び
前記干渉除去補助情報を自セルの干渉除去能力を有するユーザ装置に通知することを含む。
【００１０】
本発明の実施例のもう１つの側面により、共通参照信号の干渉を除去する方法が提供され、前記方法は、
ピコセルに隣接する隣接セルのユーザ装置が前記隣接セルから通知の干渉除去補助情報を受信することであって、前記干渉除去補助情報は、前記ピコセルに干渉を与える隣接セルの第一関連情報、或いは、前記ピコセルに干渉を与える隣接セルのうち、前記ピコセルの共通参照信号と衝突する隣接セルの第二関連情報又は第三関連情報を含む、こと；及び
前記ユーザ装置が前記ピコセルの無線リソース管理の測定を行う時に、前記干渉除去補助情報に基づいて共通参照信号の干渉除去を行うことを含む。
【００１１】
本発明の実施例のもう１つの側面により、ピコ基地局が提供され、前記ピコ基地局は、
第一通知ユニットを含み、前記第一通知ユニットは、干渉除去補助情報を隣接セルに通知するために用いられ、
そのうち、前記干渉除去補助情報は、ピコセルに干渉を与える隣接セルの第一関連情報、又は、ピコセルに干渉を与える隣接セルのうち、ピコセルの共通参照信号と衝突する隣接セルの第二関連情報を含む。
【００１２】
本発明の実施例のもう１つの側面により、基地局が提供され、前記基地局は、ピコセルに隣接する隣接セルの基地局であり、前記基地局は、
ピコセルから通知の干渉除去補助情報を受信するための第一受信ユニットであって、前記干渉除去補助情報は、前記ピコセルに干渉を与える隣接セルの第一関連情報、又は、前記ピコセルに干渉を与える隣接セルのうち、前記ピコセルの共通参照信号と衝突する隣接セルの第二関連情報を含む、第一受信ユニット；及び
前記干渉除去補助情報を、前記基地局の干渉除去能力を有するユーザ装置に通知するための第二通知ユニットを含む。
【００１３】
本発明の実施例のもう１つの側面により、ユーザ装置が提供され、前記ユーザ装置は、干渉除去能力を有し、ピコセルに隣接する隣接セルに属し、前記ユーザ装置は、
前記隣接セルから通知の干渉除去補助情報を受信するための第二受信ユニットであって、前記干渉除去補助情報は、前記ピコセルに干渉を与える隣接セルの第一関連情報、或いは、前記ピコセルに干渉を与える隣接セルのうち、前記ピコセルの共通参照信号と衝突する隣接セルの第二関連情報又は第三関連情報を含む、第二受信ユニット；及び
前記ピコセルの無線リソース管理の測定を行う時に、前記干渉除去補助情報に基づいて共通参照信号の干渉除去を行うための第一処理ユニットを含む。
【００１４】
本発明の実施例のもう１つの側面により、異質ネットワークシステムが提供され、前記システムは、
干渉除去補助情報を隣接セルに通知するためのピコ基地局であって、前記干渉除去補助情報は、ピコセルに干渉を与える隣接セルの第一関連情報、又は、ピコセルに干渉を与える隣接セルのうち、ピコセルの共通参照信号と衝突する隣接セルの第二関連情報を含む、ピコ基地局；
前記ピコ基地局に隣接し、前記ピコ基地局から通知の干渉除去補助情報を受信し、そして、前記干渉除去補助情報を自セルの干渉除去能力を有するユーザ装置に通知するためのマクロ基地局及び／又は他のピコ基地局；及び
前記ピコ基地局に隣接するマクロ基地局及び／又は他のピコ基地局から通知の干渉除去補助情報を受信し、そして、前記ピコセルの無線リソース管理の測定を行う時に、前記干渉除去補助情報に基づいて共通参照信号の干渉除去を行うためのユーザ装置を含む。
【００１５】
本発明の実施例のもう１つの側面により、コンピュータ可読プログラムが提供され、そのうち、ピコ基地局中で前記プログラムを実行する時に、前記プログラムは、コンピュータに、前記ピコ基地局中で、上述の共通参照信号の干渉除去方法を実行させる。
【００１６】
本発明の実施例のもう１つの側面により、コンピュータ可読プログラムを記憶した記憶媒体が提供され、そのうち、前記コンピュータ可読プログラムは、コンピュータに、ピコ基地局中で、上述の共通参照信号の干渉除去方法を実行させる。
【００１７】
本発明の実施例のもう１つの側面により、コンピュータ可読プログラムが提供され、そのうち、基地局中で前記プログラムを実行する時に、前記プログラムは、コンピュータに、前記基地局中で、上述の共通参照信号の干渉除去方法を実行させる。
【００１８】
本発明の実施例のもう１つの側面により、コンピュータ可読プログラムを記憶した記憶媒体が提供され、そのうち、前記コンピュータ可読プログラムは、コンピュータに、基地局中で、上述の共通参照信号の干渉除去方法を実行させる。
【００１９】
本発明の実施例のもう１つの側面により、コンピュータ可読プログラムが提供され、そのうち、ユーザ装置中で前記プログラムを実行する時、前記プログラムは、コンピュータに、前記ユーザ装置中で、上述の共通参照信号の干渉除去方法を実行させる。
【００２０】
本発明の実施例のもう１つの側面により、コンピュータ可読プログラムを記憶した記憶媒体が提供され、そのうち、前記コンピュータ可読プログラムは、コンピュータに、ユーザ装置中で、上述の共通参照信号の干渉除去方法を実行させる。
【００２１】
本発明の実施例の有益な効果は、ピコセルは、干渉除去補助情報を隣接セルに通知することができ、このようにして、隣接セルは、該干渉除去補助情報を受信した後に、それを自セルの干渉除去能力を有するユーザ装置に構成することができ、これにより、該UEはRRMの測定を行う時に、該干渉除去補助情報に基づいて干渉除去を行うことができる。よって、切り替えが遅すぎるという問題を避けることができる。
【００２２】
後述の説明及び図面により、本発明の特定の実施形態を詳細に開示しており、本発明の原理を採用し得る形態を明確にしている。なお、理解すべきは、本発明の実施形態は、範囲上では、それらに限定されないとのことである。また、添付した特許請求の範囲の精神及び技術的範囲内では、本発明の実施形態は、あらゆる変更、変形及び代替によるものをも含む。
【００２３】
また、１つの実施形態について説明した及び／又は示した特徴は、同じ又は類似する方式で、１つ以上の他の実施形態に使用し、他の実施形態における特徴と組み合わせ、又は、他の実施形態における特徴を置換することもできる。
【００２４】
また、強調すべきは、「包括／含む」のような用語は、本文に使用の時に、特徴、装置（全体）、ステップ又はアセンブリの存在を指すが、１つ又は複数の他の特徴、装置（全体）、ステップ又はアセンブリの存在又は付加を排除しないことをも指すとのことである。
【図面の簡単な説明】
【００２５】
以下、添付した図面に基づく詳細な説明により、本発明の実施例の上述及び他の目的、特徴及び利点がより明確になる。
【図１】異質ネットワークアーキテクチャを示す図である。
【図２】本発明の実施例2における干渉除去方法のフローチャートである。
【図３】本発明の実施例3における干渉除去方法のフローチャートである。
【図４】本発明の実施例4におけるピコ基地局の構成を示す図である。
【図５】本発明の実施例4における情報取得ユニットの構成を示す図である。
【図６】本発明の実施例5における基地局の構成を示す図である。
【図７】本発明の実施例6におけるユーザ装置の構成を示す図である。
【図８】実施例6における第一処理ユニットの構成を示す図である。
【図９】本発明の実施例7における異質ネットワークのアーキテクチャを示す図である。
【図１０】本発明の実施例8における干渉除去方法のフローチャートである。
【発明を実施するための形態】
【００２６】
以下、添付した図面を参照しながら、本発明の各種の実施形態について説明を行う。なお、これらの実施形態は例示だけであり、本発明を限定するものではない。当業者が容易に本発明の原理及び実施形態を理解し得るために、本発明の実施形態では、異質ネットワークのCRS干渉除去を例として説明を行っているが、理解すべきは、本発明は、上述のシステムに限定されず、CRS干渉除去に関する他のシステムにも適用し得るとのことである。
【００２７】
今のところ、隣接する基地局とピコ基地局のCRS衝突のシナリオでは、強い干渉を受けている、ピコセルの境界に位置するUE(即ち、Pico  victim  UE)がサービングセルのRRMの測定を行う時に、該UEは、該Picoセルから通知の関連情報に基づいて干渉除去を行うことができるが、該ピコ基地局に隣接する隣接セルのUEは、該ピコセルのRRMの測定を行う時に、CRS干渉を除去することができる有効な方法がまだないため、切り替えが遅すぎるという問題を避けることができない。
【００２８】
本発明の実施例1は、CRSの干渉を除去する方法を提供し、該方法は、ピコセルが干渉除去補助情報を隣接セルに通知することを含み、そのうち、該干渉除去補助情報は、該ピコセルに干渉する隣接セルの第一関連情報、又は、該ピコセルに干渉する（少なくとも１つの）隣接セルのうち、該ピコセルの共通参照信号と衝突する隣接セルの第二関連情報を含む。
【００２９】
このようにして、隣接セルは、該干渉除去補助情報を受信した後に、それを自セルの干渉除去能力を有するユーザ装置に構成し、これにより、該UEは、RRMの測定を行う時に、該干渉除去補助情報に基づて干渉除去を行えるので、切り替えが遅すぎるという問題を回避することができる。以下、図面を基に、本発明の実施例について詳細に説明する。
【００３０】
本実施例では、該第一関連情報及び第二関連情報は、セル標識（ＩＤ）、アンテナポート数、及びマルチキャスト／ブロードキャスト単一周波数ネットワーク(MBSFN、Multicast  Broadcast  Single  Frequency  Network)フレーム構成情報を含む。
【００３１】
本実施例では、該第一関連情報を干渉源隣接セルセット情報と称し、該第二関連情報をCRS衝突隣接セルセット情報と称する。
【００３２】
本実施例では、該干渉除去補助情報を該ピコセル基地局のX2インターフェースにより該隣接セルに通知してもよい。
【００３３】
本実施例では、該ピコセルが干渉除去補助情報を隣接セルに通知する前に、該方法は更に、該干渉除去補助情報を得ることを含む。
【００３４】
本実施例では、第一関連情報の取得は、該ピコセルが自セルのユーザ装置から報告の測定結果に基づいて、ピコセルに干渉する隣接セル、即ち、干渉源隣接セルを確定し、そして、該第一関連情報を取得することを含む。
【００３５】
また、該ピコセルが干渉除去補助情報を隣接セルに通知することは、具体的に、確定された該隣接セルの第一関連情報を隣接セルに通知し、即ち、干渉源隣接セルセット情報を隣接セルに通知することである。そのうち、該隣接セルは、異質ネットワーク中のマクロセルであってもよく、異質ネットワーク中の他のピコセルであってもよい。
【００３６】
本実施例では、第二関連情報の取得は、該ピコセルが自セルのユーザ装置から報告の測定結果に基づいて、ピコセルに干渉する隣接セル、即ち、干渉源隣接セルを確定し、そして、該干渉源隣接セル（少なくとも１つ）から、該ピコセルの共通参照信号と衝突する隣接セル、即ち、CRS衝突隣接セルセットを選択し、そして、該第二関連情報を取得することを含む。
【００３７】
また、該ピコセルが干渉除去補助情報を隣接セルに通知することは、具体的に、該ピコセルの共通参照信号と衝突する隣接セルの第二関連情報を隣接セルに通知し、即ち、該CRS衝突隣接セルセット情報を隣接セルに通知することである。
【００３８】
また、本実施例では、該ピコセルは、該干渉除去補助情報を隣接セルに通知するだけではなく、該補助情報を自セルの干渉除去能力を有するUEにも通知する。
【００３９】
図2は、本発明の実施例2における共通参照信号の干渉除去方法のフローチャートである。１つのピコセルに隣接する隣接セルに関し、該隣接セルは、マクロセル又は他のピコセルであってもよい。図2に示すように、該方法は次のステップを含む。
【００４０】
ステップ201：ピコセルに隣接する隣接セルは、ピコセルから通知の干渉除去補助情報を受信し、そのうち、該干渉除去補助情報は、該ピコセルに干渉する隣接セルの第一関連情報、又は、該ピコセルに干渉する隣接セルのうち、該ピコセルの共通参照信号と衝突する隣接セルの第二関連情報を含む。
【００４１】
ステップ202：該干渉除去補助情報を自セルの干渉除去能力を有するユーザ装置に通知し、そのうち、該干渉除去補助情報をCellsToAddMod(セルの追加及び変更）IE（固定長パケット）（Information  Element)に含めて、該干渉除去能力を有するUEに送信してもよい。
【００４２】
該ピコセルが該第一関連情報又は第二関連情報を通知する時、該ピコセルに隣接する隣接セルは、該第一関連情報又は第二関連情報を自セルのUEに直接通知し、これにより、自セルのUEに対して隣接セルへの測定の構成を行える。
【００４３】
また、該ピコセルが該第一関連情報を通知する時に、該ピコセルに隣接する隣接セルは更に、先ず、該第一関連情報に基づいて、該ピコセルの共通参照信号と衝突する隣接セルを選択し、その後、選択された、該ピコセルの共通参照信号と衝突する隣接セルの第三関連情報を自セルの干渉除去能力を有するUEに通知することもできる。
【００４４】
本実施例では、該干渉除去補助情報は実施例1に記載のようであるので、ここでは詳しい説明を省略する。ピコセルに隣接する該隣接セルは、マクロセルであってもよく、他のピコセルであっでもよい。
【００４５】
図3は、本発明の実施例3における共通参照信号の干渉除去方法のフローチャートである。図3に示すように、干渉除去能力を有するユーザ装置に関し、該方法は、次のステップを含む。
【００４６】
ステップ301：ピコセルに隣接する隣接セルのユーザ装置は、該隣接セルから通知の干渉除去補助情報を受信し、そのうち、該干渉除去補助情報は、該ピコセルに干渉する隣接セルの第一関連情報、或いは、該ピコセルに干渉する隣接セルのうち、該ピコセルの共通参照信号と衝突する隣接セルの第二関連情報又は第三関連情報を含む。
【００４７】
ステップ302：該ユーザ装置は、該ピコセルの無線リソース管理の測定を行う時に、該干渉除去補助情報に基づいて共通参照信号の干渉除去を行う。
【００４８】
ステップ301では、該干渉除去補助情報が第一関連情報を含む時に、ステップ302では、該UEは、先ず、該第一関連情報に基づいて、該ピコセルの共通参照信号と衝突するセルを選択し、その後、選択された該セルからの該ピコセルへの共通参照信号による干渉を除去する。
【００４９】
ステップ301では、該干渉除去補助情報が第二関連情報又は第三関連情報を含む時に、ステップ302では、該UEは、該第二関連情報又は第三関連情報中の全てのセルからの該ピコセルへの干渉を除去する。
【００５０】
上述の実施例から分かるように、ピコセルは、取得した干渉源隣接セルセット情報又はCRS衝突隣接セルセット情報を該ピコセルに隣接する隣接セルに通知し、該ピコセルに隣接する隣接セルは、該干渉源隣接セルセット情報又はCRS衝突隣接セルセット情報を受信した後に、上述の情報を自セルの干渉除去能力を有するユーザ装置に構成することで、ユーザ装置は、該ピコセルに対してRRMの測定を行う時に、該情報に基づいてCRS干渉除去を行うことができる。よって、切り替えが遅すぎるという問題を回避することができる。
【００５１】
当業者が理解できるのは、上述の実施例における方法の全部又は一部のステップの実現は、プログラムが関連ハードウェアを指示することにより完成され得るとのことである。このようなプログラムは、コンピュータ可読記憶媒体に記憶することができ、該プログラムを実行する時は、上述の実施例における方法の全部又は一部のステップを含んでもよく、また、このような記憶媒体は、R0M、RAM、磁気Ｄｉｓｋ、光Ｄｉｓｋなどを含んでもよい。
【００５２】
本発明の実施例は更に、ピコ基地局、基地局及びユーザ装置を次の実施例に記載のように提供する。該ピコ基地局、基地局及びユーザ装置が問題を解決する原理は、上述のピコ基地局、基地局及びユーザ装置の干渉除去方法と同様であるので、該ピコ基地局、基地局及びユーザ装置の実施は、上述の方法の実施を参照することができるため、ここでは重複説明を省略する。
【００５３】
図4は、本発明の実施例4におけるピコ基地局の構成を示す図である。図4に示すように、該ピコ基地局400は、第一通知ユニット401を含み、第一通知ユニット401は、干渉除去補助情報を隣接セルに通知するために用いられる。
【００５４】
そのうち、該干渉除去補助情報は、ピコセルに干渉を与える隣接セルの第一関連情報、又は、ピコセルに干渉を与える隣接セルのうち、ピコセルの共通参照信号と衝突する隣接セルの第二関連情報を含む。
【００５５】
上述の実施例から分かるように、ピコ基地局400は、第一通知ユニット401により、干渉除去補助情報を隣接セルに通知し、隣接セルは、該干渉除去補助情報を自セルの干渉除去能力を有するユーザ装置に構成し、これにより、自セルの干渉除去能力を有するユーザ装置は、該ピコセルに対してRRMの測定を行う時に、該関連情報に基づい干渉除去を行うことができる。よって、従来に存在する問題を解決し、切り替えが遅すぎるという問題を避けることができる。
【００５６】
本実施例では、該第一関連情報及び第二関連情報は、セルID、アンテナポート数、及びマルチキャスト／ブロードキャスト単一周波数ネットワーク（MBSFN)フレーム構成情報を含む。
【００５７】
図4に示すように、ピコ基地局400は更に、情報取得ユニット402を含み、情報取得ユニット402は、該干渉除去補助情報を取得するために用いられる。
【００５８】
本実施例では、情報取得ユニット402は具体的に、所属するピコ基地局のユーザ装置から上り報告の測定結果に基づいて、ピコセルに干渉する隣接セルを確定するために用いられ、このようにして、該第一関連情報を得ることができる。
【００５９】
また、このような場合、第一通知ユニット401は更に、情報取得ユニット402が確定した該隣接セルの第一関連情報を隣接セルに通知するために用いられる。
【００６０】
もう１つの実施例では、情報取得ユニット402は、該第二関連情報を得るために用いられ、その構成は、図5に示すようである。
【００６１】
図5は、本発明の実施例4における情報取得ユニットの構成を示す図である。図5に示すように、情報取得ユニット402は、第一確定ユニット501及び第一選択ユニット502を含む。
【００６２】
第一確定ユニット501は、所属するピコ基地局のユーザ装置から上り報告の測定結果に基づいて、ピコセルに干渉する隣接セルを確定し、そして、該第一関連情報を得るために用いられる。
【００６３】
第一選択ユニット502は、第一確定ユニット501が確定した、ピコセルに干渉する隣接セルの中から、ピコセルの共通参照信号と衝突する隣接セルを選択し、そして、該第二関連情報を得るために用いられる。
【００６４】
また、第一通知ユニット401は更に、ピコセルの共通参照信号と衝突する隣接セルの第二関連情報を隣接セルに通知するために用いられる。
【００６５】
本実施例では、実施例1と同様に、該第一関連情報を干渉源隣接セルセット情報と称し、該第二関連情報をCRS衝突隣接セルセット情報と称してもよく、ここでは詳しい説明を省略する。
【００６６】
上述の実施例から分かるように、ピコ基地局400は、情報取得ユニット402により、該干渉除去補助情報を取得し、そして、該干渉除去関連情報を隣接セルに通知し、隣接セルは、該干渉除去補助情報を自セルの干渉除去能力を有するユーザ装置に構成し、これにより、自セルの干渉除去能力を有するユーザ装置は、該ピコセルに対してRRMの測定を行う時に、該干渉除去補助情報に基づいて干渉除去を行うことができる。よって、従来に存在する問題を解決し、切り替えが遅すぎるという問題を避けることができる。
【００６７】
図6は、本発明の実施例5における基地局の構成を示す図である。該基地局600は、ピコセルに隣接する隣接セルの基地局であり、マクロ基地局であってもよく、ピコ基地局であってよい。図6に示すように、基地局600は、第一受信ユニット601及び第二通知ユニット602を含む。
【００６８】
第一受信ユニット601は、ピコセルから通知の干渉除去補助情報を受信するために用いられ、そのうち、該干渉除去補助情報は、該ピコセルに干渉する隣接セルの第一関連情報、又は、該ピコセルに干渉する隣接セルのうち、該ピコセルの共通参照信号と衝突する隣接セルの第二関連情報を含む。
【００６９】
第二通知ユニット602は、該干渉除去補助情報を、所属する基地局の干渉除去能力を有するユーザ装置に通知するために用いられる。
【００７０】
本発明の実施例では、該干渉除去補助情報が第一関連情報を含む時に、基地局600は更に、第二選択ユニット（図示せず）を含み、該第二選択ユニットは、ピコセルから通知の干渉除去輔助情報を受信した後に、該第一関連情報に基づいて、該ピコセルの共通参照信号と衝突する隣接セルを選択し、そして、第三関連情報を得るために用いられる。
【００７１】
該第二通知ユニット602は更に、選択された、該ピコセルの共通参照信号と衝突する隣接セルの第三関連情報を、自セルの干渉除去能力を有するユーザ装置に通知するために用いられる。
【００７２】
本実施例では、基地局600が上述の場合に得た第三関連情報を、CRS衝突隣接セルセット情報と称してもよく、該第三関連情報は、ピコセルが確定した第二関連情報とは同じである。
【００７３】
本実施例では、該干渉除去補助情報は、CellsToAddMod  IE（固定長パケット）に含まれても良い。
【００７４】
上述の実施例から分かるように、ピコ基地局400に隣接するセルの基地局600は、第一受信ユニット601により、ピコ基地局から通知の干渉除去補助情報を受信し、且つ、基地局600の第二通知ユニット602により、該干渉除去補助情報を自セルの干渉除去能力を有するユーザ装置に構成し、これにより、自セルの干渉除去能力を有するユーザ装置は、該ピコセルに対してRRMの測定を行う時に、該関連情報に基づいて干渉除去を行うことができる。よって、従来に存在する問題を解決し、切り替えが遅すぎるという問題を回避することができる。
【００７５】
実施例5では、該基地局は、ピコ基地局に隣接するマクロ基地局又は他のピコ基地局であっても良い。
【００７６】
図7は、本発明の実施例6におけるユーザ装置の構成を示す図である。該ユーザ装置は、干渉除去能力を有し、ピコセルに隣接する隣接セルのユーザ装置であり、即ち、マクロセルのUE又は他のピコセルのUEである。図7に示すように、ユーザ装置700は、第二受信ユニット701及び第一処理ユニット702を含む。
【００７７】
第二受信ユニット701は、所属する隣接セルが通知した干渉除去補助情報を受信するために用いられ、そのうち、該干渉除去補助情報は、該ピコセルに干渉を与える隣接セルの第一関連情報、又は、該ピコセルに干渉する隣接セルのうち、該ピコセルの共通参照信号と衝突する隣接セルの第二関連情報又は第三関連情報を含む。
【００７８】
第一処理ユニット702は、該ピコセルの無線リソース管理の測定を行う時に、該干渉除去補助情報に基づいて共通参照信号の干渉除去を行うために用いられる。
【００７９】
本実施例では、該干渉除去補助情報が第二関連情報又は第三関連情報を含む時に、第一処理ユニット702は更に、該第二関連情報及び第三関連情報のうちの全てのセルからの該ピコセルへの干渉を除去するために用いられる。
【００８０】
もう１つの実施例では、該干渉除去補助情報が第一関連情報を含む時に、図8に示すように、第一処理ユニット702は、第三選択ユニット801及び第一除去ユニット802を含んでも良い。
【００８１】
第三選択ユニット801は、該第一関連情報に基づいて、該ピコセルの共通参照信号と衝突するセルを選択するために用いられ、第一除去ユニット802は、第三選択ユニット801が選択したセルからの該ピコセルへの干渉を除去するために用いられる。
【００８２】
上述の実施例から分かるように、ピコ基地局400に隣接するセルのCRS干渉除去能力有のユーザ装置700は、第二受信ユニット701により、自セルの基地局が通知した干渉除去補助情報を受信し、これにより、ユーザ装置700は、該ピコセルに対してRRMの測定を行う時に、該関連情報に基づいて干渉除去を行うことができる。よって、従来に存在する問題を解決し、切り替えが遅すぎるという問題を回避することができる。
【００８３】
図9は、本発明の実施例7における異質ネットワークシステムの構成を示す図である。図9に示すように、該システムは、ピコ基地局901、ピコ基地局901に隣接する基地局、及び、ピコ基地局901に隣接するセルのユーザ装置を含む。
【００８４】
そのうち、ピコ基地局901は、干渉除去補助情報を隣接セルに通知するために用いられ、そのうち、該干渉除去輔助情報は、ピコセルに干渉する隣接セルの第一関連情報、又は、ピコセルに干渉する隣接セルのうち、ピコセルの共通参照信号と衝突する隣接セルの第二関連情報を含む。
【００８５】
ピコ基地局901に隣接する基地局は、ピコ基地局901が通知した干渉除去補助情報を受信し、そして、該干渉除去補助情報を自セルの干渉除去能力を有するユーザ装置に通知すすために用いられる。
【００８６】
ユーザ装置は、該ピコ基地局に隣接する基地局が通知した干渉除去補助情報を受信し、そして、該ピコセルの無線リソース管理の測定を行う時に、該干渉除去補助情報に基づいて、共通参照信号の干渉除去を行うために用いられる。
【００８７】
本実施例では、ピコ基地局901に隣接する基地局は、マクロ基地局であってよく、図9に示すように、例えば、マクロ基地局902'であってもよく、又は、図9に示すように、更に他のピコ基地局、例えば、902"を含んでもよく、該ピコ基地局902"の数は、１つ又は１つ以上であってもよい。それ相応に、該ピコ基地局に隣接するセルのユーザ装置UEは、マクロセルUE903'を含んでもよく、或いは、該ピコ基地局に隣接するセルのユーザ装置は、マクロセルUE903'及び他のピコセルUE903"を含んでも良い。
【００８８】
本実施例では、ピコ基地局901、該ピコ基地局に隣接する基地局、及び、該ユーザ装置の構成は、実施例4、5及び6と同様であるため、ここでは詳しい説明を省略する。
【００８９】
以下、図9に示す異質ネットワークと共に、本発明の干渉除去方法について詳細に説明する。図9に示すネットワークシステムでは、ピコセルは901であり、該ピコセルのUEは903であり、ピコセルに隣接するセルは、マクロセル及び他のピコセルを含んでもよく、図の中に１つだけの他のピコセルを示しているが、その数は１つに限定されず、１つ以上であってもよく、それ相応に、マクロ基地局902'、及び、マクロセルUE903'を含み、また、他のピコ基地局、例えば902"、及び、この他のピコ基地局のUE、例えば903"をも含む。
【００９０】
下述の実施例では、該第一関連情報を干渉源隣接セルセット情報と称し、該第二関連情報を第一CRS衝突隣接セルセット情報と称し、該第三関連情報を第二CRS衝突隣接セルセット情報と称する。
【００９１】
図10は、本発明の実施例8における干渉除去方法のフローチャートである。そのうち、ピコセル901から隣接セルへの干渉源隣接セルセット情報の通知、且つ、ピコセルに隣接するセルから自セルUEへの干渉源隣接セルセット情報の通知を例として説明を行う。
【００９２】
図10に示すように、該方法は、次のステップを含む。
【００９３】
ステップ1001：ユーザ装置UEは、所属するセルの基地局に、CRS干渉除去能力の有無を報告する。
【００９４】
そのうち、ピコセルのUE903、903"、及び、マクロセルのUEは、各自の所属するピコ基地局901／902"、及び、マクロ基地局902'に、CRS干渉除去能力をするかどうかを報告する。
【００９５】
ステップ1002：ピコセル901は、干渉除去補助情報を得る。本実施例では、ピコセル901は、自セルのユーザ装置903から報告の測定結果に基づいて、ピコセル901に干渉する隣接セル、即ち、干渉源隣接セルを確定する。
【００９６】
そのうち、該干渉源隣接セルは、１つ又は１つ以上の隣接セルを含んでもよく、それは、"干渉源隣接セルセット"と称され、また、該干渉源隣接セルを確定した後に、干渉源隣接セルの情報を得ることができ、それは、"干渉源隣接セルセット情報"と称される。
【００９７】
本実施例では、ピコ基地局901は、"干渉源隣接セルセット情報"を干渉除去補助情報とし、また、該干渉源隣接セルセット情報が含む情報は、上述の実施例と同様であるため、ここでは詳しい説明を省略する。
【００９８】
ステップ1003：ピコ基地局901は、該干渉除去補助情報を隣接セルに通知し、そのうち、該干渉除去補助情報は、"干渉源隣接セルセット情報"である。
【００９９】
本実施例では、ピコ基地局901は、X2インターフェースにより、該干渉除去補助情報を通知してもよく、そのうち、隣接セルは、マクロセル又は他のピコセルであってもよい。
【０１００】
また、ピコ基地局901は更に、該干渉除去補助情報を自セルの干渉除去能力を有するUEに構成し、自セルの干渉除去能力を有するUEに、該干渉除去補助情報に基づいて、干渉除去を行わせることもできる。
【０１０１】
ステップ1004：該隣接セルの基地局は、ピコセル901が通知した該干渉除去補助情報を受信し、本実施例では、図9に示すように、例えば、マクロ基地局902'及び他のピコ基地局902"は、該干渉除去補助情報を受信する。
【０１０２】
ステップ1005：該隣接セルの基地局は、該干渉除去補助情報を自セルUEに通知し、本実施例では、該自セルUEは、干渉除去能力を持ち、マクロセルUE903'又は他のピコセルUE903"であっても良い。
【０１０３】
そのうち、該隣接セル基地局は、該干渉除去補助情報を受信した後に、自セルUEに対して隣接セルへの測定の構成を行う時に、該干渉除去補助情報を自セルUEに構成し、その後、自セルUEに送信してもよく、そのうち、該干渉除去補助情報をCellsToAddMod  IE又は他のIEに含めてもよく、また、該隣接セルの基地局は更に、他のシグナリングにより該干渉除去補助情報を送信しても良い。
【０１０４】
ステップ1006：該隣接セルのユーザ装置UEは、該隣接セルから通知の干渉除去補助情報を受信し、例えば、マクロセルUE903'は、マクロ基地局902'が通知した干渉除去補助情報を受信し、他のピコセルUE903"は、ピコ基地局902"が通知した干渉除去補助情報を受信する。
【０１０５】
ステップ1007：該隣接セルのユーザ装置UEは、該ピコセルのRRMの測定を行う時に、該干渉除去補助情報に基づいて干渉除去を行い、本実施例では、該隣接セルのユーザ装置UEは、先ず、該干渉除去補助情報に基づいて、該ピコセルのCRSと衝突するセルを選択し、その後、選択された該セルからの該ピコセルへの干渉を除去する。
【０１０６】
ステップ1008：該隣接セルのユーザ装置UEは、測定結果を報告し、なお、このステップは、オプションステップである。
【０１０７】
上述の実施例から分かるように、ピコ基地局901は、干渉源隣接セルセット情報を得て、そして、該情報を干渉除去補助情報としてピコ基地局901所在ピコセルに隣接するセル（マクロセル、又は、他のピコセルを含む）に通知することができ、該ピコセルに隣接するセルは、該干渉除去補助情報を自セルの干渉除去能力を有するユーザ装置に通知し、これにより、該ユーザ装置は、該ピコセルに対してRRMの測定を行う時に、該関連情報に基づいて干渉除去を行うことができる。よって、従来に存在する問題を解決し、切り替えが遅すぎるという問題を避けることができる。
【０１０８】
本発明の実施例9は更に、干渉除去方法を提供し、なお、実施例8と同じ処の記載は、ここでは省略し、本実施例と実施例8との異なる点のみについて詳細に説明する。
【０１０９】
実施例9では、実施例8と異なる点は、ステップ1002で、該ピコセルが該干渉除去補助情報を得る時に、具体的に次のステップを含むことにある。
【０１１０】
該ピコセルは、自セルユーザ装置から報告の測定結果に基づいて、ピコセルに干渉する隣接セル、即ち、干渉源隣接セルを確定し、そして、該干渉源隣接セル中から該ピコセルのCRSと衝突する隣接セル、即ち、CRS衝突隣接セルセットを選択し、その関連する情報を"第一CRS衝突隣接セルセット情報"と称し、また、該第一CRS衝突隣接セルセット情報は該干渉除去補助情報とされる。また、ステップ1005及び1006の中で通知するのは、"第一CRS衝突隣接セルセット情報"である。
【０１１１】
実施例9では、実施例8と異なる点は更に、ステップ1007で干渉除去を行う時に、該UEが、該第一CRS衝突隣接セルセット情報中の全てのセルからの該ピコセルへの干渉を除去することにある。
【０１１２】
上述の実施例から分かるように、ピコセルは、取得した第二CRS衝突隣接セルセット情報を該ピコセルに隣接する隣接セルに通知し、該ピコセルに隣接する隣接セルは、該第二CRS衝突隣接セルセット情報を受信した後に、上述の情報を自セルの干渉除去能力を有するユーザ装置に構成することができ、これにより、ユーザ装置は、該ピコセルに対してRRMの測定を行う時に、該情報に基づいてCRS干渉除去を行うことができる。よって、切り替えが遅すぎるという問題を回避することができる。
【０１１３】
本発明の実施例10は更に、干渉除去方法を提供し、なお、実施例8と同じ処については、ここでは、その説明を省略し、本実施例と実施例8との異なる点のみについて詳細に説明する。
【０１１４】
実施例10では、ステップ1004の後に、該隣接セルの基地局は、ピコセルから通知の干渉除去補助情報を受信した後に、該"干渉源隣接セルセット情報"中から該ピコセルのCRSと衝突する隣接セルを選択し、該CRSと衝突する隣接セルを"第二CRS衝突隣接セルセット"と称し、その対応する情報は、"第二CRS衝突隣接セルセット情報"である。
【０１１５】
このようにして、ステップ1005及び1006の中で、該隣接セルの基地局は、該第二CRS衝突隣接セルセット情報を自セルの干渉除去能力を有するユーザ装置UEに通知する。
【０１１６】
実施例10では、実施例8と異なる点は更に、ステップ1007で干渉除去を行う時に、該UEが、該第一CRS衝突隣接セルセット情報中の全てのセルからの該ピコセルへの干渉を除去することにある。
【０１１７】
上述の実施例から分かるように、ピコセルは、取得した干渉源隣接セルセット情報を該ピコセルに隣接する隣接セルに通位し、該ピコセルに隣接する隣接セルは、該干渉源隣接セルセット情報を受信した後に、その中から第二CRS衝突隣接セルセットを選択し、そして、該第二CRS衝突隣接セルセット情報を自セルの干渉除去能力を有するユーザ装置に構成することにより、ユーザ装置は、該ピコセルのRRMの測定を行う時に、該情報に基づいてCRS干渉除去を行うことができる。よって、切り替えが遅すぎるという問題を避けることができる。
【０１１８】
本発明の実施例は更に、コンピュータ可読プログラムを提供し、そのうち、ピコ基地局中で前記プログラムを実行する時に、前記プログラムは、コンピュータに、前記ピコ基地局中で、実施例1及び実施例8〜10に記載の共通参照信号の干渉除去方法を実行させる。
【０１１９】
本発明の実施例は更に、コンピュータ可読プログラムを記憶した記憶媒体を提供し、そのうち、前記コンピュータ可読プログラムは、コンピュータに、ピコ基地局中で、実施例1及び実施例8〜10に記載の共通参照信号の干渉除去方法を実行させる。
【０１２０】
本発明の実施例は更に、コンピュータ可読プログラムを提供し、そのうち、基地局中で前記プログラムを実行する時に、前記プログラムは、コンピュータに、前記基地局中で実施例2及び実施例8〜10に記載の共通参照信号の干渉除去方法を実行させる。
【０１２１】
本発明の実施例は更に、コンピュータ可読プログラムを記憶した記憶媒体を提供し、そのうち、前記コンピュータ可読プログラムは、コンピュータに、基地局中で実施例2及び実施例8〜10に記載の共通参照信号の干渉除去方法を実行させる。
【０１２２】
本発明の実施例は更に、コンピュータ可読プログラムを提供し、そのうち、ユーザ装置中で前記プログラムを実行する時に、前記プログラムは、コンピュータに、前記ユーザ装置中で実施例3及び実施例8〜10の共通参照信号の干渉除去方法を実行させる。
【０１２３】
本発明の実施例は更に、コンピュータ可読プログラムを記憶した記憶媒体を提供し、そのうち、前記コンピュータ可読プログラムは、コンピュータに、ユーザ装置中で実施例3及び実施例8〜10の共通参照信号の干渉除去方法を実行させる。
【０１２４】
本発明の上述の装置及び方法は、ハードウェアにより実現されてもよく、ハードウェアとソフトウェアとの組み合わせにより実現されてもよい。また、本発明は、このようなコンピュータ可読なプログラムにも関し、即ち、該プログラムは、ロジック部により実行されている時に、該ロジック部に、上述の装置又は構成部品を実現させることができ、又は、該ロジック部に、上述の各種方法又はステップを実現させることができる。本発明は、さらに、上述のプログラムを記録している記憶媒体、例えば、ハードディスク、磁気ディスク、光ディスク、DVD、flashメモリなどにも関する。
【０１２５】
以上、本発明の好ましい実施形態を説明したが、本発明はこの実施形態に限定されず、本発明の趣旨を離脱しない限り、本発明に対するあらゆる変更は本発明の技術的範囲に属する。
【図１】
2015523021.tif 000003
【図２】
2015523021.tif 000004
【図３】
2015523021.tif 000005
【図４】
2015523021.tif 000006
【図５】
2015523021.tif 000007
【図６】
2015523021.tif 000008
【図７】
2015523021.tif 000009
【図８】
2015523021.tif 000010
【図９】
2015523021.tif 000011
【図１０】
2015523021.tif 000012
【国際調査報告】
2015523021.tif 000013
2015523021.tif 000014
2015523021.tif 000015
2015523021.tif 000016